(57)【要約】  本体と、前記本体の上部部分内に画定されている第１のチャネルであって、外部空気がそこを通して第１のチャネルに進入できる入口を含む、第１のチャネルと、本体の下部部分内に画定されている第２のチャネルと、を含む屋根葺き物品。シートは、第２のチャネルを第１のチャネルから分離する。第２のチャネルは、シート内のオリフィスを介して第１のチャネルに操作可能に接続され、それにより外部空気がオリフィスを介して第２のチャネルに進入することができる。
2013539509.tif 000002
【特許請求の範囲】
【請求項１】
屋根デッキ上に設置するための屋根葺き物品であって、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができる、屋根葺き物品。
【請求項２】
前記第２のチャネルが出口ポートを含み、前記外部空気が前記出口ポートを介して前記第２のチャネルを退出することができる、請求項１に記載の屋根葺き物品。
【請求項３】
前記第２のチャネルが入口ポートを含み、隣接する屋根葺き物品からの空気が、前記入口ポートを介して前記第２のチャネルに進入することができる、請求項１又は２に記載の屋根葺き物品。
【請求項４】
前記第２のチャネルが非調整空間と気流連通し、前記非調整空間からの非調整空気が前記入口ポートを介して前記第２のチャネルに進入することができる、請求項３に記載の屋根葺き物品。
【請求項５】
前記入口ポートを介して前記第２のチャネルに進入する前記非調整空気が、前記オリフィスを介して前記第２のチャネルに進入する外部空気と混合して混合空気を形成することができ、前記混合空気が前記出口ポートを介して前記第２のチャネルを退出することができる、請求項４に記載の屋根葺き物品。
【請求項６】
前記非調整空間が屋根裏である、請求項４又は５に記載の屋根葺き物品。
【請求項７】
前記第２のチャネルの下方に存在する断熱材を更に含む、請求項１〜６のいずれか一項に記載の屋根葺き物品。
【請求項８】
前記第１のチャネルが、第１のチャネルの上部内側表面及び第１のチャネルの下部内側表面を含み、前記第１のチャネルの上部内側表面及び第１のチャネルの下部内側表面のうちの１つ以上が、前記第１のチャネルの上部内側表面及び第１のチャネルの下部内側表面のうちの１つ以上と共に存在する放射障壁を含む、請求項１〜７のいずれか一項に記載の屋根葺き物品。
【請求項９】
前記第２のチャネルが、第２のチャネルの上部内側表面及び第２のチャネルの下部内側表面を含み、前記第２のチャネルの上部内側表面及び第２のチャネルの下部内側表面のうちの１つ以上が、前記第２のチャネルの上部内側表面及び第２のチャネルの下部内側表面のうちの１つ以上と共に存在する放射障壁を含む、請求項１〜８のいずれか一項に記載の屋根葺き物品。
【請求項１０】
前記本体の下部部分内に画定されている第３のチャネルを更に含み、第２のシートが前記第３のチャネルを前記第２のチャネルから分離する、請求項１〜９のいずれか一項に記載の屋根葺き物品。
【請求項１１】
前記第３のチャネルが非調整空間と気流連通している、請求項１０に記載の屋根葺き物品。
【請求項１２】
前記非調整空間が屋根裏である、請求項１０に記載の屋根葺き物品。
【請求項１３】
前記オリフィスに近接して前記第１のチャネル内に存在する空気案内部を更に含んで、外部空気をオリフィス内に指向させる、請求項１〜１２のいずれか一項に記載の屋根葺き物品。
【請求項１４】
華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、請求項１〜１３のいずれか一項に記載の屋根葺き物品。
【請求項１５】
前記気流遮断器が膨張材料を含む、請求項１４に記載の屋根葺き物品。
【請求項１６】
前記入口と共に存在するカバーを更に含み、前記カバーが、外部空気が前記カバーを通して前記第１のチャネル内へ流れることを可能にする、請求項１〜１５のいずれか一項に記載の屋根葺き物品。
【請求項１７】
前記入口の断面と、前記オリフィスの断面との比が、約２〜約４８である、請求項１〜１６のいずれか一項に記載の屋根葺き物品。
【請求項１８】
前記入口の断面と、前記オリフィスの断面との比が、約１〜約１２である、請求項１〜１７のいずれか一項に記載の屋根葺き物品。
【請求項１９】
屋根葺き物品であって、
本体と、
前記本体内に画定されている空気経路であって、そこを通して外部空気が前記空気経路に進入することができる入口を含む、空気経路と、
熱に暴露された際に前記経路を少なくとも部分的に閉鎖する、前記空気経路と共に存在する気流遮断器と、を含む、屋根葺き物品。
【請求項２０】
前記熱が華氏約３５０度（１７７℃）以上の温度である、請求項１９に記載の屋根葺き物品。
【請求項２１】
前記気流遮断器が膨張材料を含む、請求項１８に記載の屋根葺き物品。
【請求項２２】
前記入口と共に存在するカバーを更に含み、前記カバーが、外部空気が前記カバーを通して前記空気経路内へ流れることを可能にする、請求項１９〜２１のいずれか一項に記載の屋根葺き物品。
【請求項２３】
請求項１〜２２のいずれか一項に記載の複数の屋根葺き物品を含むパネルを備えた屋根葺きパネル。
【請求項２４】
複数の屋根葺き物品の少なくとも一部分が一体形成されている、請求項２３に記載の屋根葺きパネル。
【請求項２５】
少なくとも２つの屋根葺き物品を含む屋根葺きシステムであって、各屋根葺き物品が、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができ、
前記少なくとも２つの屋根葺き物品のそれぞれの前記第２のチャネルが、前記少なくとも２つの屋根葺き物品の間に気流路を形成するように気流連通されている、屋根葺きシステム。
【請求項２６】
前記少なくとも２つの屋根葺き物品のそれぞれの前記第２のチャネルが、出口ポートを含み、前記外部空気が前記出口ポートを介して前記第２のチャネルを退出することができる、請求項２５に記載の屋根葺きシステム。
【請求項２７】
前記少なくとも２つの屋根葺き物品のそれぞれの前記第２のチャネルが、入口ポートを含み、隣接する屋根葺き物品からの空気が、前記入口ポートを介して前記第２のチャネルに進入することができる、請求項２５又は２６に記載の屋根葺きシステム。
【請求項２８】
前記少なくとも２つの屋根葺き物品のそれぞれの前記第２のチャネルが、非調整空間と気流連通し、前記非調整空間からの非調整空気が前記入口ポートを介して前記第２のチャネルに進入することができる、請求項２７に記載の屋根葺きシステム。
【請求項２９】
前記入口ポートを介して前記少なくとも２つの屋根葺き物品のそれぞれの前記第２のチャネルに進入する前記非調整空気が、前記オリフィスを介して前記少なくとも２つの屋根葺き物品の前記第２のチャネルに進入する外部空気と混合して混合空気を形成し、前記混合空気が前記出口ポートを介して前記少なくとも２つの屋根葺き物品の前記第２のチャネルを退出することができる、請求項２７又は２８のいずれか一項に記載の屋根葺きシステム。
【請求項３０】
前記少なくとも２つの屋根葺き物品のそれぞれが、前記本体の下部部分内に画定されている第３のチャネルを更に含み、第２のシートが前記第３のチャネルを前記第２のチャネルから分離する、請求項２５〜２９のいずれか一項に記載の屋根葺きシステム。
【請求項３１】
華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、請求項２５〜３０のいずれか一項に記載の屋根葺き物品。
【請求項３２】
前記気流遮断器が膨張材料を含む、請求項３１に記載の屋根葺き物品。
【請求項３３】
少なくとも２つの屋根葺き物品を含む屋根葺きシステムであって、各屋根葺き物品が、
本体と、
前記本体内に画定されているチャネルであって、入口ポート及び出口ポートを含む、チャネルと、
前記少なくとも２つの屋根葺き物品が第１の接続部材及び第２の接続部材を使用して接続された際、前記少なくとも２つの屋根葺き物品の一方の前記出口ポートが、前記少なくとも２つの屋根葺き物品の他方の前記入口ポートと実質的に整合して、前記少なくとも２つの屋根葺き物品の間に気流路を形成するように、前記少なくとも２つの屋根葺き物品を相互接続するための前記第１の接続部材及び第２の接続部材と、を含む、屋根葺きシステム。
【請求項３４】
前記第１の接続部材がタブを含み、前記第２の接続部材が凹部を含む、請求項３３に記載の屋根葺きシステム。
【請求項３５】
前記本体内に画定されている上部チャネルを更に含み、前記上部チャネルが、そこを通して外部空気が前記上部チャネルに進入できる外部空気入口を含み、シートが前記チャネルを前記上部チャネルから分離し、前記チャネルが、前記シート内のオリフィスを介して前記上部チャネルに操作可能に接続され、それにより前記外部空気が前記オリフィスを介して前記チャネルに進入することができる、請求項３３に記載の屋根葺きシステム。
【発明の詳細な説明】
【技術分野】
【０００１】
（関連出願の相互参照）
本願は、その全体が参照により本明細書に組み込まれる、２０１０年９月８日出願の「Ａｂｏｖｅ−Ｄｅｃｋ  Ｒｏｏｆ  Ｖｅｎｔｉｎｇ  Ａｒｔｉｃｌｅ，Ｓｙｓｔｅｍ  ａｎｄ  Ｍｅｔｈｏｄｓ」と題された米国特許仮出願第６１／３８０，８６３号の優先権と該出願による利益とを主張する。
【０００２】
（発明の分野）
本開示は、一般に、屋根葺き材料に関する。より詳細には、本開示は、内部に気流路を有する屋根葺き物品に関する。
【背景技術】
【０００３】
建造物及び住宅構造に省エネルギーの利点を提供する構築物品を使用することが望ましい場合がある。吸収された太陽光エネルギーは、特に暖かい南部の気候では、太陽放射線の強い入射を受容し得る建造物内の冷却エネルギー費用を増大させる。太陽光エネルギーの吸収体は、建造物の屋根である。屋根に隣接し又は該屋根の下部の屋根裏、即ち非調整空間内の空気温度が、一部には、屋根による太陽光エネルギーの吸収、又は屋根を通した太陽光エネルギーの伝導によって、周囲空気温度を４０°Ｆ（約２２．２℃）以上越えることはめずらしいことではない。これは建造物の内部空間を居心地のよい生活温度に冷却するために、相当なエネルギー費用をもたらす場合がある。
【発明の概要】
【課題を解決するための手段】
【０００４】
態様において、屋根デッキ上に設置するための屋根葺き物品は、本体と、本体の上部部分内に画定され、かつそこを通して外部空気が第１のチャネルに進入できる入口を有する第１のチャネルと、本体の下部部分内に画定されている第２のチャネルと、を含む。シートは、第２のチャネルを第１のチャネルから分離する。第２のチャネルは、シート内のオリフィスを介して、第１のチャネルに操作可能に接続され、それにより外部空気がオリフィスを介して第２のチャネルに進入することができる。
【０００５】
態様において、屋根葺き物品は、本体と、本体内に画定されている空気経路と、を含む。空気経路は、そこを通して外部空気が空気経路に進入できる入口を含む。屋根葺き物品は更に、熱に暴露された際に空気経路を少なくとも部分的に閉鎖する、空気経路と共に存在する気流遮断器を含む。
【０００６】
態様において、屋根葺きパネルは、本開示の実施形態による複数の屋根葺き物品を含む。
【０００７】
態様において、屋根葺きシステムは、少なくとも２つの屋根葺き物品を含む。各屋根葺き物品は、本体と、本体の上部部分内に画定されている第１のチャネルと、を含む。第１のチャネルは、そこを通して外部空気が第１のチャネルに進入できる入口を含む。屋根葺き物品は更に、本体の下部部分内に画定されている第２のチャネルを含み、シートは第２のチャネルを第１のチャネルから分離する。第２のチャネルは、シート内のオリフィスを介して、第１のチャネルに操作可能に接続され、それにより外部空気がオリフィスを介して第２のチャネルに進入することができる。少なくとも２つの屋根葺き物品のそれぞれの第２のチャネルは、少なくとも２つの屋根葺き物品の間に気流路を形成するように気流連通されている。
【０００８】
態様において、屋根葺きシステムは、少なくとも２つの屋根葺き物品を含み、各屋根葺き物品は、本体と、本体内に画定されているチャネルであって、入口ポート及び出口ポートを含む、チャネルと、少なくとも２つの屋根葺き物品を相互接続するための第１の接続部材及び第２の接続部材と、を含む。少なくとも２つの屋根葺き物品が第１の接続部材及び第２の接続部材を使用して接続された際、少なくとも２つの屋根葺き物品の一方の出口ポートは、少なくとも２つの屋根葺き物品の他方の入口ポートと実質的に整合して、少なくとも２つの屋根葺き物品の間に気流路を形成する。
【０００９】
装置又は方法形態のいずれかにある本開示の主題は、その様々な組み合わせにおいて、以下の実施形態のリストにより特徴付けることができる。
【００１０】
１．屋根デッキ上に設置するための屋根葺き物品であって、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができる、屋根葺き物品。
【００１１】
２．前記第２のチャネルが出口ポートを含み、外部空気が前記出口ポートを介して前記第２のチャネルを退出することができる、実施形態１の屋根葺き物品。
【００１２】
３．前記第２のチャネルが入口ポートを含み、隣接する屋根葺き物品からの空気が、前記入口ポートを介して前記第２のチャネルに進入することができる、実施形態１又は２に記載の屋根葺き物品。
【００１３】
４．前記第２のチャネルが非調整空間と気流連通し、非調整空間からの非調整空気が前記入口ポートを介して前記第２のチャネルに進入することができる、実施形態３に記載の屋根葺き物品。
【００１４】
５．前記入口ポートを介して前記第２のチャネルに進入する非調整空気が、前記オリフィスを介して前記第２のチャネルに進入する外部空気と混合して混合空気を形成することができ、前記混合空気が前記出口ポートを介して前記第２のチャネルを退出することができる、実施形態４に記載の屋根葺き物品。
【００１５】
６．非調整空間が屋根裏である、実施形態４又は５に記載の屋根葺き物品。
【００１６】
７．前記第２のチャネルの下方に存在する断熱材を更に含む、実施形態１〜６のいずれか１つに記載の屋根葺き物品。
【００１７】
８．前記第１のチャネルが、第１のチャネルの上部内側表面及び第１のチャネルの下部内側表面を含み、前記第１のチャネルの上部内側表面及び第１のチャネルの下部内側表面のうちの１つ以上が、前記第１のチャネルの上部内側表面及び第１のチャネルの下部内側表面のうちの１つ以上と共に存在する放射障壁を含む、実施形態１〜７のいずれか１つに記載の屋根葺き物品。
【００１８】
９．前記第２のチャネルが、第２のチャネルの上部内側表面及び第２のチャネルの下部内側表面を含み、前記第２のチャネルの上部内側表面及び第２のチャネルの下部内側表面のうちの１つ以上が、前記第２のチャネルの上部内側表面及び第２のチャネルの下部内側表面のうちの１つ以上と共に存在する放射障壁を含む、実施形態１〜８のいずれか１つに記載の屋根葺き物品。
【００１９】
１０．前記本体の下部部分内に画定されている第３のチャネルを更に含み、第２のシートが前記第３のチャネルを前記第２のチャネルから分離する、実施形態１〜９のいずれか１つに記載の屋根葺き物品。
【００２０】
１１．前記第３のチャネルが非調整空間と気流連通している、実施形態１０に記載の屋根葺き物品。
【００２１】
１２．非調整空間が屋根裏である、実施形態１１の屋根葺き物品。
【００２２】
１３．前記オリフィスに近接する前記第１のチャネル内に存在する空気案内部を更に含んで、外部空気をオリフィス内に指向させる、実施形態１〜１２のいずれか１つに記載の屋根葺き物品。
【００２３】
１４．華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、実施形態１〜１３のいずれか１つに記載の屋根葺き物品。
【００２４】
１５．前記気流遮断器が膨張材料を含む、実施形態１４に記載の屋根葺き物品。
【００２５】
１６．前記入口と共に存在するカバーを更に含み、前記カバーが、外部空気が前記カバーを通して前記第１のチャネル内へ流れることを可能にする、実施形態１〜１５のいずれか１つに記載の屋根葺き物品。
【００２６】
１７．前記入口の断面と、前記オリフィスの断面との比が、約２〜約４８である、実施形態１〜１６のいずれか１つに記載の屋根葺き物品。
【００２７】
１８．前記入口の断面と、前記オリフィスの断面との比が、約１〜約１２である、実施形態１〜１７のいずれか１つに記載の屋根葺き物品。
【００２８】
１９．屋根葺き物品であって、
本体と、
前記本体内に画定されている空気経路であって、そこを通して外部空気が前記空気経路に進入できる入口を含む、空気経路と、
熱に暴露された際に前記経路を少なくとも部分的に閉鎖する、前記空気経路と共に存在する気流遮断器と、を含む、屋根葺き物品。
【００２９】
２０．前記熱が華氏約３５０度（１７７℃）以上の温度である、実施形態１９に記載の屋根葺き物品。
【００３０】
２１．前記気流遮断器が膨張材料を含む、実施形態１８に記載の屋根葺き物品。
【００３１】
２２．前記入口と共に存在するカバーを更に含み、前記カバーが、外部空気が前記カバーを通して前記空気経路内へ流れることを可能にする、実施形態１９〜２１のいずれか１つに記載の屋根葺き物品。
【００３２】
２３．実施形態１〜２２のいずれか１つに記載の複数の屋根葺き物品からなるパネルを備えた屋根葺きパネル。
【００３３】
２４．複数の屋根葺き物品の少なくとも一部分が一体形成されている、実施形態２３に記載の屋根葺きパネル。
【００３４】
２５．少なくとも２つの屋根葺き物品を含む屋根葺きシステムであって、各屋根葺き物品が、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより外部空気が前記オリフィスを介して前記第２のチャネルに進入することができ、
少なくとも２つの屋根葺き物品のそれぞれの第２のチャネルが、少なくとも２つの屋根葺き物品の間に気流路を形成するように気流連通されている、屋根葺きシステム。
【００３５】
２６．少なくとも２つの屋根葺き物品のそれぞれの第２のチャネルが、出口ポートを含み、外部空気が前記出口ポートを介して前記第２のチャネルを退出することができる、実施形態２５に記載の屋根葺きシステム。
【００３６】
２７．少なくとも２つの屋根葺き物品のそれぞれの第２のチャネルが、入口ポートを含み、隣接する屋根葺き物品からの空気が、前記入口ポートを介して前記第２のチャネルに進入することができる、実施形態２５又は２６に記載の屋根葺きシステム。
【００３７】
２８．少なくとも２つの屋根葺き物品のそれぞれの第２のチャネルが、非調整空間と気流連通し、非調整空間からの非調整空気が前記入口ポートを介して前記第２のチャネルに進入することができる、実施形態２７に記載の屋根葺きシステム。
【００３８】
２９．前記入口ポートを介して少なくとも２つの屋根葺き物品のそれぞれの第２のチャネルに進入する非調整空気が、前記オリフィスを介して少なくとも２つの屋根葺き物品の前記第２のチャネルに進入する外部空気と混合して混合空気を形成し、前記混合空気が前記出口ポートを介して少なくとも２つの屋根葺き物品の前記第２のチャネルを退出することができる、実施形態２７又は２８に記載の屋根葺きシステム。
【００３９】
３０．少なくとも２つの屋根葺き物品のそれぞれが、前記本体の下部部分内に画定されている第３のチャネルを更に含み、第２のシートが前記第３のチャネルを前記第２のチャネルから分離する、実施形態２５〜２９のいずれか１つに記載の屋根葺きシステム。
【００４０】
３１．華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、実施形態２５〜３０のいずれか１つに記載の屋根葺き物品。
【００４１】
３２．前記気流遮断器が膨張材料を含む、実施形態３１に記載の屋根葺き物品。
【００４２】
３３．少なくとも２つの屋根葺き物品を含む屋根葺きシステムであって、各屋根葺き物品が、
本体と、
前記本体内に画定されているチャネルであって、入口ポート及び出口ポートを含む、チャネルと、
前記少なくとも２つの屋根葺き物品が第１の接続部材及び第２の接続部材を使用した際、少なくとも２つの屋根葺き物品の一方の出口ポートが少なくとも２つの屋根葺き物品の他方の入口ポートと実質的に整合して、少なくとも２つの屋根葺き物品の間に気流路を形成するように、前記少なくとも２つの屋根葺き物品を相互接続するための前記第１の接続部材及び第２の接続部材と、を含む、屋根葺きシステム。
【００４３】
３４．前記第１の接続部材がタブを含み、前記第２の接続部材が凹部を含む、実施形態３３に記載の屋根葺きシステム。
【００４４】
３５．前記本体内に画定されている上部チャネルを更に含み、前記上部チャネルが、そこを通して外部空気が前記上部チャネルに進入できる外部空気入口を含み、シートが前記チャネルを前記上部チャネルから分離し、前記チャネルが、前記シート内のオリフィスを介して前記上部チャネルに操作可能に接続され、それにより外部空気が前記オリフィスを介して前記チャネルに進入することができる、実施形態３３に記載の屋根葺きシステム。
【００４５】
この課題を解決するための手段は、発明を実施するための形態において以下で更に説明する採択された概念を、簡潔な形で提示するために示すものである。この課題を解決するための手段は、請求項に記載の主題の重要な特徴又は本質的な特徴を特定することを意図せず、請求項に記載の主題の開示された各実施形態又はあらゆる実施を記載することを意図せず、また、請求項に記載の主題の範囲を決定する際の助けとして使用することを意図するものでもない。他の多くの新たな利点、特徴、及び関係は、本明細書が進行するにつれて明らかになるであろう。以下の図及び説明は、例示的な実施形態を、より具体的に実証する。
【図面の簡単な説明】
【００４６】
開示される主題は、添付図面を参照して更に説明され、同様の構造は種々の図にわたって同様の参照番号によって示される。
【図１】図４の１−１線に沿った、第１の実施形態による屋根葺き物品の断面概略側面図。
【図２】図４の２−２線に沿った、図１の屋根葺き物品の第２の断面概略側面図。
【図３】図４の３−３線に沿った、図１の屋根葺き物品の第３の断面概略側面図。
【図４】パネル形態にある、図１の屋根葺き物品の一部切除概略上面図。
【図５】上部に３つの図１の屋根葺き物品を有する、傾斜屋根の断片断面概略側面図。
【図６】上部に３つの図１の屋根葺き物品を有する、傾斜屋根の第２の断片断面概略側面図。
【図７】図４の２−２線に沿った、上部に２つの図１の屋根葺き物品、及び設置基部又はスターターユニットを有する、傾斜屋根の断片断面概略側面図。
【図８】図４の１−１線に沿った、上部に組み立てられた３つの図１の屋根葺き物品、並びに棟通気口及びキャップを有する、傾斜屋根の断片断面概略側面図。
【図９】更に屋根葺き物品の熱エネルギー移動を示す、図４の１−１線に沿った、図１の屋根葺き物品の断面概略図。
【図１０】更に気流パターンを示す、図４の１−１線に沿った、上部に５つの図１の屋根葺き物品を有する傾斜屋根の断片断面概略図。
【図１１】更に気流パターンを示す、複数の図１の屋根葺き物品の断片一部切除概略上面図。
【図１２】更に別の気流パターンを示す、図４の１−１線に沿った、上部に５つの図１の屋根葺き物品を有する傾斜屋根の断片断面概略図。
【図１３】第２の実施形態による屋根葺き物品の断面概略図。
【図１４】上部に２つの図１３の屋根葺き物品、及び設置基部又はスターターユニットを有する、傾斜屋根の断片断面概略側面図。
【図１５】図１６の１５−１５線に沿った、第３の実施形態による屋根葺き物品の断面概略側面図。
【図１６】図１５の屋根葺き物品の一部切除上部平面概略図。
【図１７】上部に３つの図１５の屋根葺き物品を有する、傾斜屋根の断片断面概略側面図。
【図１８】２つの試験プラットホーム（１）本開示による屋根葺き物品を有するプラットホーム、及び（２）アスファルトベースの屋根板を有するプラットホーム、から収集したデータ、並びに外部温度のグラフ。
【図１９】第４の実施形態による屋根葺き物品の断面概略図。
【００４７】
上記の図面は、開示された主題の数個の実施形態を記載するが、本開示の中で述べられるような他の実施形態も企図される。全ての場合において、本開示は、制限条件としてではなく、代表的な例として開示される主題を提供する。図面は概略図であり、そのため、異なる構造、及びそれらの関連する寸法を有する構成は、例示のみの目的を果たす。本開示の原則の範囲及び趣旨に含まれる、多数の他の変更及び実施形態が当業者によって考案され得、それらの他の変更及び実施形態は、本開示の原理の範囲及び趣旨に包含される。
【発明を実施するための形態】
【００４８】
以下において「上部」及び「下部」、「頂部」及び「底部」、「右」及び「左」等の用語、又は類似した相対的表現が使用される場合、これらの用語は添付の図面のみを参照し、必ずしも実際の使用状態を参照するものではない。
【００４９】
本開示は広くは、デッキ上の屋根通気システムに使用される、気流路を有する屋根葺き物品と、そのような屋根葺き物品を設置する方法とに関する。本開示の様々な例示的実施形態について、ここで特に図面を参照して説明する。本開示の実施形態は、開示の趣旨及び範囲から逸脱することなく、様々な修正や変更が可能である。したがって、本開示の実施形態は以下に記述する代表的な実施形態に限定されず、請求項及びそれと同等の任意のものに定められた制限によって支配されるものと理解されたい。
【００５０】
それ故、本明細書全体を通し、「一実施形態」、「特定の実施形態」、「１つ以上の実施形態」、又は「実施形態」を指す参照は、「実施形態」という用語の前に「代表的」という用語が含まれているかどうかに関わらず、その実施形態の、特定の特徴、構造、材料、又は特性が、本開示の特定の代表的な実施形態の少なくとも１つの実施形態に含まれることを意味する。したがって、本明細書全体を通して様々な箇所にある「１つ以上の実施形態では」、「特定の実施形態では」、「一実施形態では」、又は「ある実施形態では」といった句の出現は、必ずしも本開示の代表的な実施形態の同一の実施形態に言及しているわけではない。更に、特定の特徴、構造、材料、又は特性は、任意の好適な方法で１つ以上の実施形態に組み合わされてもよい。
【００５１】
図１を参照すると、本開示の第１の実施形態による屋根葺き物品は、基部１０２を有する本体を含んでもよく、本体は、底部シート１０３と、底部シート１０３の少なくとも一部分を覆う中間シート１０４と、中間シート１０４の少なくとも一部分を覆う頂部シート１０６と、本体内に存在する１つ以上のチャネルと、を有する。一実施形態において、第１の空気チャネル１０８は、頂部シート１０６と中間シート１０４との中間に画定され又は存在し、第２の空気チャネル１１０は、中間シート１０４と底部シート１０３との中間に画定され又は存在している。第１のチャネル１０８と第２のチャネル１１０とは、開口又はオリフィス１２０により相互接続され、又は流体若しくは気流連通されてもよく、これは以下に更に詳細に記載される。
【００５２】
気候に応じて、屋根葺き物品は、混合空気が第２のチャネル路内に留まることを確実にし又は最適化するよう設計されてもよい。このことは、第２のチャネル経路の抵抗に対する開口内の抵抗を増大させるように、第１のチャネルと第２のチャネルとの間の開口のサイズを最小にすることにより行うことができる。混合空気が第２のチャネル路内に留まることを確実にし又は最適化することが望ましい場合がある気候のいくつかは、比較的寒い気候を含む。混合された、より暖かい空気を第２のチャネル路内に保持することにより、屋根全体の加熱が援助され、その結果、屋根全体上の雪を融解することができる。
【００５３】
また、屋根葺き物品は、空気が屋根葺き物品の１つに含まれる空気入口から外部へ戻ることを可能にするよう設計されてもよい。このことは、第２チャネル経路の抵抗に対する開口内の抵抗を低減するように、第１のチャネルと第２のチャネルとの間の１つ以上の開口のサイズを最大にすることにより行うことができる。空気を第２のチャネル路から放出することが望ましい場合がある気候のいくつかは、比較的暖かい気候を含む。空気の放出を可能にすることにより、屋根をより涼しく保つことが援助され得る。
【００５４】
屋根の全長（底部から頂部）に沿って気流を維持することが望ましく、即ち、それによって屋根葺き物品を退出するいかなる空気も妨げられる実施形態では、開口１２０の断面積は、約０．０５平方インチ〜約０．７０平方インチ（約０．３２ｃｍ２〜約４．５２ｃｍ２）（空気吸込み１２４の断面積と開口１２０の断面積との比が、約２．０〜約４８．０）であってもよい。好ましくは、断面積は、約０．１５平方インチ〜約０．３５平方インチ（約０．９７ｃｍ２〜約２．２６ｃｍ２）（空気吸込み１２４の断面積と開口１２０の断面積との比が、約５．０〜約１６．０）であってもよい。最適には、断面積は、約０．１５平方インチ〜約０．２５平方インチ（約０．９７ｃｍ２〜約１．６１ｃｍ２）（空気吸込み１２４の断面積と開口１２０の断面積との比が、約８．０〜約１６．０）であってもよい。そのような実施形態は、例えば、より涼しい又は寒い気候ゾーン４〜７内で使用されてもよい。
【００５５】
屋根の長さ（底部から頂部）に沿った１つ以上の地点に沿って気流を通気することが望ましい実施形態では、断面積は、約０．２０平方インチ〜約１．２５平方インチ（約１．２９ｃｍ２〜約８．０６ｃｍ２）（空気吸込み１２４の断面積と開口１２０の断面積との比が、約１．０〜約１２．０）であってもよい。好ましくは、断面積は、約０．３０平方インチ〜約０．８０平方インチ（約１．９４ｃｍ２〜約５．１６ｃｍ２）（空気吸込み１２４の断面積と開口１２０の断面積との比が、約２．０〜約８．０）であってもよい。最適には、断面積は、約０．４５平方インチ〜約０．７０平方インチ（約２．９３ｃｍ２〜約４．５２ｃｍ２）であってもよい。そのような気流は、以下により詳細に記載される（空気吸込み１２４の断面積と開口１２０の断面積との比が、約２．０〜約５．５）。そのような実施形態は、例えば、より暖かい、又は熱い気候ゾーン１〜４内で使用されてもよい。
【００５６】
図４を参照すると、開口１２０は、円形の形状を有するように示されているが、本開示の趣旨及び範囲から逸脱することなく、他の形状を使用することができる。底部シート１０３、中間シート１０４及び頂部シート１０６は、例えば、射出成形又は熱成形等の様々な形成方法を使用して、熱可塑性ポリオレフィン等の熱可塑性ポリマー類、又はポリフッ化ビニリデン、フッ素化エチレンプロピレン、ポリテトラフルオロエチレン及びポリ塩化ビニル等のフッ素若しくは塩素ポリマー類等の様々な高温及び難燃性材料から形成することができるが、ポリカーボネート、アクリロニトリルブタジエンスチレン、鋼（例えば、亜鉛めっきされた）、コンクリート、粘土、及び加工木材ベースの製品等の他の材料を使用して、これらの各構成成分を形成してもよい。他の形成方法には、例えば金属スタンピング、プレス成形、パン成形（pan forming）、並びに、様々な構成成分及び部品組み立て方法を挙げることができる。これに加えて、底部シート１０３、中間シート１０４及び頂部シート１０６は、一体形成され、又は別々に形成された後、一緒に取り付けられ、付着され、若しくは別様に結合されてもよい。頂部シート１０６は、例えば、それぞれ全体が参照により本明細書に組み込まれる米国特許第７，４５５，８９９号、同第７，６４８，７５５号及び同第７，９１９，１７０号に記載されているもの等の、上部に存在する屋根用グラニュールの層（１つ又は複数）を含んでもよい。頂部シート１０６及び／又は上部に存在する屋根用グラニュールの層（１つ又は複数）は交換可能であってもよく、したがってこの部分は、屋根葺き物品１１０の他の部分を交換することなく、交換することができる。
【００５７】
底部シート１０３、中間シート１０４及び／又は頂部シート１０６を含む本体の部分は、黒色等の暗色材料を使用して形成されてもよく、又は、暗色の外観を与えるように被覆されてもよい。色は一般に、「Ｌａｂ色空間又は構成成分色」、即ちＣＩＥ  １９７６（Ｌ＊、ａ＊、ｂ＊）により定義することができ、Ｌ＊は、黒色に関して０、白色に関して１００である（ａは、赤色に関して＋正、緑色に関して−負であり、ｂは、黄色に関して＋正、青色に関して−負である）。この方法は、彩色を定義する三次元的方法である。一般に、「暗」色は、Ｌ＊スケール上で０〜約３０であってもよい。
【００５８】
図１を参照すると、場合により（例えば気候ゾーンに応じて）、断熱層１１２が、底部シート１０３の下面上に、又は下面に隣接して、又は下面に組み込まれ若しくは接着されるように、屋根葺き物品上に含まれてもよい。断熱層１１２は押出ポリスチレン発泡体（ＸＰＳ）から形成されてもよいが、膨張ポリスチレン発泡体（ＥＰＳ）、ポリイソシアヌレート、ポリウレタン、又は、厚さ１インチ（２．５４ｃｍ）当たり２〜８の範囲内のＲ値を有する他のタイプの断熱材料等の他の材料を使用してもよい。断熱層１１２は、屋根葺き物品のための一次又は二次ロック機構として機能し得る、隣接する屋根葺き物品を屋根デッキ１２上に配置する際に使用されるくさび又はロック地点１１４を含んでもよい（例えば、図５〜８、１０及び１２参照）。図２、６及び７を参照すると、断熱層１１２は、上部に存在し又は内部を延びる、座ぐり凹部等の１つ以上の取り付け開口１１５を含んで、屋根葺き物品を屋根デッキ１２に固定し又は取り付けることを補助してもよい。
【００５９】
図２を参照すると、基部１０２は、基部１０２の縁に沿って存在するフランジ１１６を含んでもよく、このフランジ１１６は、屋根デッキ上に配置された際に、隣接する屋根葺き物品上に提供されているタブ１４４を操作可能に受容するためのタブポケット又は凹部１１８を含んでもよい。各屋根葺き物品１００のフランジ１１６上に含まれてもよい穴１１７は、各屋根葺き物品１００の断熱層１１２の穴１１５と整合される。タブポケット１１８は、第２のチャネル１１０からの水分を排水するよう形成された排水開口を有してもよい。そのような開口は、約０．１２５インチ〜約０．１５５インチ（約０．３２ｃｍ〜約０．３９ｃｍ）の直径を含んでもよい。タブ１１６、及び屋根デッキ上での隣接する屋根葺き物品の配置は、下記により詳細に記載される。
【００６０】
図１を参照すると、第１のチャネル１０８は、その第１の末端部に空気入口１２４を含んでもよい。空気入口１２４は、防火タイプの被覆物、網、スクリム、不織布ウェブ、又は、雪、昆虫、鳥、小動物、屑、降水（例えば、雨、雪、みぞれ、雹）の進入物が空気入口１２４に入るのを妨げるための他の構造を有する、穿孔された剛性材料等のカバー１２６を含んでもよい。カバーは、紫外線安定性であることが好ましい。実施形態において、カバー１２６はポリエステル織物等の溶融可能な材料により形成されて、火事の場合等に空気入口を閉鎖し、したがって任意の空気通路又は煙突を閉鎖することができる。実施形態において、網等のカバー１２６は、網内に銅又は亜鉛の細長片又は他の形態を含んでもよく、それによって細長片から放出される銅イオンが、カバー中の藻類及び他の菌類の増殖を妨げることができる。
【００６１】
カバー１２６は、頂部シート１０６及び中間シート１０４と一体形成されてもよく、又は別々に形成された後、頂部シート１０６及び／又は中間シート１０４に取り付けられ、接続され、又は別様に結合されてもよい。空気入口１２４及びカバー１２６を含む第１のチャネル１０８の第１の末端部は、美的目的のために選択された色を含んでもよい。本明細書で論じるように、多くの場合、より暗い色が好ましい。これは、屋根デッキ表面の下方に立つ人が見た場合に、より暗い外観を屋根に与えるように、空気入口１２４及びカバー１２６を含む第１のチャネル１０８の第１の末端部に比較的暗い色を使用することにより達成することができる。図５から明らかで有り得るように、組み立てられた際、頂部シート１０６の上面と、空気入口１２４及びカバー１２６を含む第１のチャネル１０８の第１の末端部との、２つの全面的に露出される表面が存在する。屋根デッキ表面の下方に立つ人が屋根を見た場合、その人は、大体は第１のチャネル１０８の第１の末端部を見る。
【００６２】
図１を参照すると、後面１２９は、第１のチャネル１０８の第２の末端部に形成されてもよく、頂部シート１０６から中間シート１０４へ延びてもよい。上述のように、開口１２０は、第１のチャネル１０８と第２のチャネル１１０とを相互接続する（又は、流体若しくは気流連通させる）。開口１２０は、中間シート１０４を貫通して延び、又は中間シート１０４の縁に沿って又は中間シート１０４の末端部に別様に形成されてもよい。
【００６３】
図４及び１１を参照すると、第１のチャネル１０８（図４及び１１には付番されていない）は更に、自由及び強制対流を指向させ得る１つ以上のリブ１２８又は空気案内（２つが図示されている）を含んでもよい。リブ１２８は、テーパ状に配置されてもよく、頂部シート１０６と中間シート１０４との間に延びて、屋根葺き物品１００に更なる構造的一体性を提供し得る。再び図１を参照すると、第１のチャネル１０８はまた、開口１２０に近接して配置された空気案内部気流偏向部材１３０を含んでもよく、気流偏向部材１３０は、流入する外部からの吸込み気流を、開口を通して第２の空気チャネル内へと下方に案内し又は送ることができる。気流偏向部材１３０は、底部シート１０３、中間シート１０４及び頂部シート１０６に関連して上述した材料等の様々な材料及び形成方法から形成されてもよいが、防火用のプラスチック被覆膨張材料、セラミックス、及び他の非腐食性材料等の他の材料を使用してもよい。また、気流偏向部材１３０は、例えば頂部シート１３０と共に、第１のチャネル１０８内にて一体形成されてもよい。代替的に、気流偏向部材１３０は、別々に形成された後、例えば接着剤、スナップロック、マジックテープ、熱溶接、及び他の機械的固定具を使用して、第１のチャネル１０８内にて例えば頂部シート１３０に取り付けられ、接続され、又は別様に結合されてもよい。更に、気流偏向部材１３０は、切除された球体として成形されているよう図示されているが、本開示の趣旨及び範囲から逸脱することなく、他の三次元形状を用いてもよい。実施形態では、火事の場合等に融解して開口１２０を少なくとも部分的に閉鎖するように、ポリエステル等の溶融可能な材料により形成された網を、開口１２０上に提供してもよい。
【００６４】
図１を参照すると、第２のチャネル１１０は、該チャネルの第１の縁に沿って第１の、空気入口ポート１３２を含んでもよく、該チャネルの第２の縁に沿って第２の、空気出口ポート１３４を含んでもよい。図４及び１１を参照すると、第２のチャネル１１０は更に、内部に存在する気流羽根１３６を含んでもよく、気流羽根１３６は、中間シート１０４と底部シート１０３との間に延びて、屋根葺き物品１００に更なる構造的一体性を提供してもよい。気流羽根１３６は、先端羽根部材１３８及び２つの後端羽根部材１４０を含んでもよい。
【００６５】
図１及び２を参照すると、第２のチャネル１１０は更に、屋根葺き物品１００の前面１４２と、前面１４２から延び又は前面１４２上に存在する１つ以上のタブ１４４とを含んでもよい。また、実施形態において、第２のチャネル１１０は、底部シート１０３に対して直交する方向に測定して狭くてもよく、空気入口ポート１３２にてより広く、空気出口ポート１３４にてより狭くなるようにテーパしていてもよい。
【００６６】
図１を参照すると、第１のチャネル１０８及び第２のチャネル１１０のそれぞれは、１つ以上の放射障壁フィルム層又は低放射率表面１４６を含んでもよい。放射障壁フィルム層は、アルミニウム、銀金属化耐候性アクリル系フィルム（例えば、３Ｍ（商標）Ｓｏｌａｒ  Ｍｉｒｒｏｒ  Ｆｉｌｍ  １１００として市販されているフィルム）等の高反射材料、又は黒体からなる薄層から形成されてもよい。実施形態では、放射障壁フィルム層の放射率は、ＡＳＴＭ  Ｃ１３７１により測定して約０．１未満である。図示したように、第１のチャネル１０８は、頂部シート１０６の下面上に放射障壁フィルム層１４６を含み、中間シート１０４の上面上に別の放射障壁フィルム層１４６を含む。第２のチャネル１１０は、中間シート１０４の下面上に放射障壁フィルム層１４６を含み、底部シート１０３の上面上に別の放射障壁フィルム層１４６を含む。
【００６７】
屋根葺き物品は更に、膨張材料部分１４８を含んでもよい。そのような膨張材料部分１４８は、熱又は炎に暴露された際、化学変化を経て断熱形態に膨張してもよい。これは火及び有毒ガスの封じ込めを可能にし、また炎侵入、熱移動、及び有毒ガスの移動を妨げる。この開示全体で使用される「膨張材料」は、可燃性材料中に適用され又は組み込まれた場合に、材料が熱又は炎に暴露された際に発火する傾向を低減又は除去する物質を指し、また一般に、炎に暴露された際、膨張物質は炭化を誘導し、不燃性ガスを解放して炭化発泡体（carbonific form）を形成させ、該発泡体はマトリクスを保護し、酸素供給を中断し、滴下を防止する。そのような熱は、華氏３５０度（１７７℃）又は華氏約３５０度（１７７℃）であってもよい。膨張材料は、酸源、炭形成体（char former）、及び発泡剤を含んでもよい。膨張材料の例には、３Ｍ（商標）Ｆｉｒｅ  Ｂａｒｒｉｅｒ  Ｗｒａｐ  Ｕｌｔｒａ  ＧＳ及びＣｈｅｍｔｕｒａ（以前のＧｒｅａｔ  Ｌａｋｅｓ  Ｃｈｅｍｉｃａｌ  Ｃｏｒｐｏｒａｔｉｏｎ）製のＲＥＯＧＡＲＤ  １０００が挙げられる。図示するように、膨張材料は、空気入口ポート１３２に近接して第２のチャネル１１０内に含まれてもよいが、そのような膨張材料部分１４８は、屋根葺き物品１１０内の数個の他の位置、例えば、空気出口ポート１３４に近接して、又は気流偏向部材１３０若しくはオリフィス１２０に近接して、又は第１のチャネル１０８の後部に近接して、又は後面に近接して（例えば、図４の１２９の放射状の後部端に）、又はカバー１２６に近接して含まれてもよい。
【００６８】
これに加えて、例えば断熱材１１０内等、屋根葺き物品１１０内の１つ以上の位置に相変化材料（ＰＣＭ）が含まれてもよい。そのようなＰＣＭは、大量の熱の吸収及び放出に関連した固体／固体相転移を経ることができる。膨張材料部分１４８と同様、熱又は炎に暴露された際、化学変化を経て断熱形態又は形状に膨張してもよい。ＰＣＭの例には、ＰＣＭ  Ｐｒｏｄｕｃｔｓ  Ｌｉｍｉｔｅｄから市販されているものが挙げられる。
【００６９】
図５は、屋根上（屋根ボード１２及びフェルト１６の頂部上）に配置及び設置された、３つの屋根葺き物品１００（図４の１−１線に沿った断面）を示す。この構成において、最も左の屋根葺き物品１００の後面１２９は、中間の屋根葺き物品１００の前面１４２に隣接及び当接している。最も左の屋根葺き物品１００の出口ポート１３４は、中間の屋根葺き物品１００の入口ポート１３２と一致し又は略整合するように配置されている。同様に、中間の屋根葺き物品１００の後面１２９は、最も右の屋根葺き物品１００の前面１４２に隣接及び当接し、中間の屋根葺き物品１００の出口ポート１３４は、最も右の屋根葺き物品１００の入口ポート１３２と一致するように配置されている。この配置は、最も左の屋根葺き物品１００の第２のチャネル１１０を通して及び該チャネルから、中間の屋根葺き物品１００の第２のチャネル１１０内へ及び該チャネルを通して、並びに最も右の屋根葺き物品１００の第２のチャネル１１０内へ及び該チャネルを通して、空気が流れることを可能にする。以下により詳細に記載されるように、空気はまた、屋根葺き物品１００のそれぞれの第２のチャネル１１０へ、それらのそれぞれの開口１２０を通して、それぞれの第１のチャネル１０８から入ることができる。図６から明らかであり得るように、屋根葺き物品１００のそれぞれの断熱層１１２は、屋根葺き物品１００を屋根ボード１２に取り付けるのに使用できる、断熱層上に存在し又は該層を通して延びる座ぐり等の取り付け孔１１５を含んでもよい。これに加えて、屋根葺き物品１００のそれぞれの断熱層１１２上のロック地点１１４は、隣接する屋根葺き物品１００に一致させるのに使用されてもよい（中間と最も右の屋根葺き物品のそれぞれは隣接する屋根葺き物品１００の断熱材１１２と一致するロック地点１１４を有する）。
【００７０】
図６は、屋根上（屋根ボード１２及びフェルト１６の頂部上）に配置及び設置された、３つの屋根葺き物品１００（図４の２−２線に沿った断面）を示す。この構成において、中間の屋根葺き物品１００のタブ１４４は、最も左の屋根葺き物品１００のタブポケット１１８内に配置及び受容されている。同様に、この構成において、最も右の屋根葺き物品１００のタブ１４４は、中間の屋根葺き物品１００のタブポケット１１８内に配置及び受容されている。再び、屋根葺き物品１００のそれぞれの断熱層１１２上のロック地点１１４は、隣接する屋根葺き物品１００に一致させるのに使用されてもよい（中間と最も右の屋根葺き物品のそれぞれは隣接する屋根葺き物品１００の断熱材１１２と一致するロック地点１１４を有する）。
【００７１】
図７を参照すると、設置基部又はスターターユニット１５０が含まれてもよく、該設置基部又はスターターユニット１５０は、その上部で一連の屋根葺き物品１００が連続的に組み立てられる基部として使用される（２つの屋根葺き物品１００が図７に示される−図４の２−２線に沿った断面）。スターターユニットは、座ぐり等の１つ以上の取り付け開口１５４を有する下部部分１５２と、キャップ１５６とを含む。下部部分１５２は更に、タブスロット１５５を含んでもよい。スターターユニット１５０の下部部分１５２は、ボルト、ねじ又は釘等の任意の数の機械的固定構造を使用して、屋根に（図示するように、フェルト１６及び屋根ボード１２上に）操作可能に結合されてもよい。一旦配置されたら、屋根葺き物品１００のタブ１４４はタブスロット１５５内に配置されてもよい。次いで、続く屋根葺き物品１００を、それらのタブ１４４が、より下方の隣接する屋根葺き物品１００のタブポケット１１８内に存在するように配置してもよい。この配置において、屋根ボード１２内の開口２０は、屋根葺き物品１００上の入口ポート１３２と整合されて、屋根裏空間の空気が屋根裏、即ち非調整空間から外部へと、屋根葺き物品１００の第２のチャネル１１０（図６に示さず）内へ流れ、棟通気口２６（図８に示す）を通して及び該通気口から外部へ上方に流れることを可能にし得る。
【００７２】
図８を参照すると、棟通気口２６及び棟キャップ２８が示されている。この図において、３つの屋根葺き物品１００（図４の１−１線に沿った断面）は、傾斜屋根上（屋根ボード１２及びフェルト１６上）に配置及び設置されている。この構成において、最も左の屋根葺き物品１００の後面１２９は、中間の屋根葺き物品１００の前面１４２に隣接及び当接している。最も左の屋根葺き物品１００の出口ポート１３４は、中間の屋根葺き物品１００の入口ポート１３２と一致し又は略整合状態にあるように配置されている。同様に、中間の屋根葺き物品１００の後面１２９は、最も右の屋根葺き物品１００の前面１４２に隣接及び当接し、中間の屋根葺き物品１００の出口ポート１３４は、最も右の屋根葺き物品１００の入口ポート１３２と一致し及び略整合状態にあるように配置されている。この配置は、最も左の屋根葺き物品１００の第２のチャネル１１０から、中間の屋根葺き物品１００の第２のチャネル１１０内へ及び該チャネルを通して、並びに最も右の屋根葺き物品１００の第２のチャネル１１０内へ、空気が流れることを可能にする。空気が最も右の屋根葺き物品１００の空気出口１３４を退出し、したがって屋根の頂部又は棟２６に到達した際、空気は出口ポート１３４を退出するであろう。次いで、それらの空気は通気口２６／キャップ２８を通して排出されるであろう。
【００７３】
図９は、本明細書の様々な実施形態（図示した第１の実施形態）による屋根葺き物品の熱エネルギー移動を示す。エネルギー構成成分のそれぞれの「ｑ」は、以下の通りである。
【００７４】
【表１】
2013539509.tif 000003
【００７５】
エネルギーバランスの方程式は、以下の通りである。
【００７６】
ｑｓ−ｑ１−ｑ２−ｑ３−ｑ４＋ｑ５−ｑ６−ｑ７−ｑ８−ｑ９−ｑ１０−ｑ１１＋ｑ１２−ｑ１３−ｑ１４＝０
図９を参照すると、ｑｓは太陽からの太陽光エネルギーを表わす。このエネルギーのうち、幾分かのエネルギー（ｑ２）が伝導によって第１のチャネル１０８内に移動され、幾分かのエネルギー（ｑ１）が、反射及び対流によって、大気中に移動する。更なるエネルギーが、自由及び／又は強制対流によって、空気入口１２４（ｑ５）を通して屋根葺き物品１００に入る場合がある。第１のチャネル１０８内のエネルギーのうち、幾分かは、自由対流（ｑ３及びｑ６）によって移動する場合があり、即ち温度勾配及び／又は密度差の存在により流れが促される。第１のチャネル内の正味放射線は、ｑ４として移送される。そのうち、幾分かは伝導によって第２のチャネル１１０内に移動され（ｑ８）、幾分かは、自由及び／又は強制によって開口１２０を通して移動される。更なるエネルギーは、自由及び／又は強制対流によって、入口ポート１４２（ｑ１２）を介して第２のチャネル１１０に入る場合がある。第２のチャネル１０８内のエネルギーのうち、幾分かは、自由対流（ｑ９及びｑ１１）によって移動する場合がある。第２のチャネル内の正味放射線は、ｑ１０として移送される。そのうち、殆どが、伝導によって出口ポート１３４（ｑ１３）から外部へと（隣接する屋根葺き物品へ又は棟通気口から外部へと上方に）移動される。残部（ｑ１４）は、伝導によって屋根裏、即ち非調整空間へ移動され得る。
【００７７】
図１０は、一連の屋根葺き物品１００を通した気流を示す。空気は、２つの方法で最も左の屋根葺き物品１００内に入るように図示されている。最初に、外部空気は空気入口１２４に入り、第１のチャネル１０８内を開口１２０に向かって上方へ移動する。この空気が気流案内部１３０と遭遇した際、気流案内部１３０は、空気を開口１２０を通して第２のチャネル１１０内へ下方に指向させ又は送る。空気はまた、入口ポート１３２を介して最も左の屋根葺き物品に入ってもよい（該空気は、例えば図７に図示したスターターユニット１５０を通して、屋根裏、即ち非調整空間から来てもよい）。この空気は、開口１２０を通して第２のチャネル内に指向された空気と混合される。次いで、この混合空気は、一連の屋根葺き物品１００に沿って、それらのそれぞれの第２のチャネル１１０内を、最終的な、最上の屋根葺き物品１００まで上方に進む。この時点で、空気は最も右の屋根葺き物品の出口ポート１３４を（隣接する屋根葺き物品へ至り、又は棟通気口の外部へと上方に）退出する。屋根葺き物品のそれぞれにおいて、空気入口１２４に入った後、開口１２０を通して第２のチャネル１１０内へと下方に送られた空気は、一連の屋根葺き物品１００に沿って、それらのそれぞれの第２のチャネル内を上方に進む空気と混合される。
【００７８】
図１１は、屋根葺き物品を通した気流機構を別の図で示す（一部切除上部平面概略図）。外部空気（長い破線で示す）は、空気入口１２４を通して屋根葺き物品１００に入る。この空気は、開口１２０に向かってリブ１２８の間又は周囲を進む。気流案内部（図１１に図示せず）は、空気を開口１２０を通して第２のチャネル内へと下方に指向させ又は送る。この外部空気は、第２のチャネル１１０の気流（実線で図示する）と混合されてもよい。混合気流は第２のチャネル内を進み、気流羽根１３６の周囲に−詳細には、気流羽根１３６の先端羽根部材１３８の両側に、指向される。最終的に、更なる空気が、続く隣接する屋根葺き物品上の開口を通して第２のチャネル内に指向され、この空気と混合されて、チャネル混合空気（短い破線で図示する）を形成する。
【００７９】
図１２も一連の屋根葺き物品１００を通した気流を示すが、屋根葺き物品１００の１つの空気入口１２４からいくらかの空気が外部へと戻る、代替的なやり方にある。上記と同様、空気は、２つの方法で最も左の屋根葺き物品１００内に入るように示されている。最初に、外部空気は空気入口１２４に入り、第１のチャネル１０８内を開口１２０に向かって上方へ移動する。この空気が気流案内部１３０と遭遇した際、気流案内部１３０は、空気を開口１２０を通して第２のチャネル１１０内へ下方に指向させ又は送る。空気はまた、入口ポート１３２を介して最も左の屋根葺き物品に入ってもよい（該空気は、例えば図７に図示したスターターユニット１５０を通して、屋根裏、即ち非調整空間から来てもよい）。この空気は、開口１２０を通して第２のチャネル内に指向された空気と混合される。次いで、この混合空気は、一連の屋根葺き物品１００に沿って、それらのそれぞれの第２のチャネル１１０内を上方に進む。第２のチャネル１１０路を通して継続するこの混合空気に対する抵抗が、自然の浮揚性を越えた場合、混合気流は、抵抗が比較的小さい路を見出し、第２のチャネル１１０と第１のチャネル１０８との間で開口１２０の外への逆流を開始し（即ち、第１のチャネル１０８内の流入する外部空気に対する抵抗が、第２のチャネル１１０路へと上方へ継続する抵抗を下回る）、空気は、抵抗が最小である路を選択し、第１のチャネル１０８及び空気入口１２４から外部へ戻るであろう。図１２に図示するように、これは左から４番目の屋根葺き物品１００（即ち、右から２番目の屋根葺き物品１００）上で生じている。混合空気が第２のチャネル路内に進む続けるか又は空気入口から外部へ戻るかに影響を与え得る因子には、オリフィスのサイズ、風、気圧、及び第２のチャネル１１０内の流体（空気）の抵抗が挙げられる。例えば、断面積が増大し、湾曲部／ゆがみが最小となると、流体が第２のチャネル１１０を上方へ進むときに、気流は比較的小さい抵抗を有し又は受けるであろう。
【００８０】
上述したように、気候に応じて、屋根葺き物品１００は、混合空気が第２のチャネル１１０路内に留まることを確実にし又は最適化するよう設計されてもよい。これは、第１のチャネル１０８と第２のチャネル１１０との間の開口１２０のサイズを最小にして、第２のチャネル１１０経路の抵抗に対する開口１２０内の抵抗を増大させることにより行うことができる。混合空気が第２のチャネル１１０路内に留まることを確実にし又は最適化することが望ましい場合がある気候のいくつかは、比較的寒い気候を含む。混合された、より暖かい空気を第２のチャネル１１０路内に保持することにより、屋根全体の加熱が援助され、その結果、屋根全体上の雪を融解することができる。
【００８１】
また、屋根葺き物品は、空気が屋根葺き物品１００の１つ以上に含まれる空気入口１２４から外部へ戻ることを可能にするよう設計されてもよい。これは、第１のチャネル１０８と第２のチャネル１１０との間の１つ以上の開口１２０のサイズを最大にして、第２チャネル１１０経路の抵抗に対する開口１２０内の抵抗を低減することにより行うことができる。空気を第２のチャネル路から放出することが望ましい場合がある気候のいくつかは、比較的暖かい気候を含む。空気の放出を可能にすることにより、屋根をより涼しく保つことが援助され得る。
【００８２】
図１３及び１４を参照すると、屋根葺き物品１００の別の実施形態が示されている。この実施形態では、底部シート１０３と断熱層１１２との中間に第３のチャネル１５８が含まれている。第３のチャネル１５８は、内部に１つ以上の放射障壁フィルム層１４６を含んでもよい。この実施形態は、混合空気が屋根葺き物品（第３のチャネル１５８路）内に留まることを確実にし又は最適化することが望ましい、寒い気候等の気候内で有用であり得る。混合された、より暖かい空気を第３のチャネル１５８路内に保持することにより、屋根全体の加熱が援助され、その結果、屋根全体上の雪を融解することができる。
【００８３】
この実施形態の屋根葺き物品１００が、屋根上で連続的に配置される場合、隣接する屋根葺き物品上の第３のチャネル１５８が略整合されて、屋根デッキ１２上に含まれる開口２０から、屋根葺き物品１００の第３のチャネル１５８に沿って上方に、例えば棟通気口（図１４に図示せず）等の出口地点へ延び得る第３のチャネル１５８路を形成する。第３のチャネル１５８路間を、最も左の屋根葺き物品１００の第２のチャネル１１０内へ延びるスターターユニット１５０上に開口１５７が含まれてもよい。これは屋根裏空間の空気の第２のチャネル１１０路への幾分かの通気を可能にして、真空を形成し、第２のチャネル１１０路内での空気移動を援助することができる。例えば、第３のチャネル１５８の温度δが低く、自然の浮揚性の効果を低減する場合、開口１５７は非調整空間からの気流を可能にするであろう。第３のチャネル１５８を有するこの実施形態は、例えば、混合されたより暖かい空気を屋根全体の屋根葺き物品１００内に保持して屋根を加熱することにより屋根全体の雪を融解することが望ましい、より寒い気候内で有用であり得る。
【００８４】
図１５〜１７は、屋根葺き物品の別の実施形態を示す。この実施形態では、屋根葺き物品２００は、底部シート２０３、底部シート２０３の少なくとも一部分を覆う中間シート２０４、及び中間シート２０４の少なくとも一部分を覆う頂部シート２０６を含んでもよい。第１の空気チャネル２０８は、頂部シート２０６と中間シート２０４との中間に画定され又は存在し、第２の空気チャネル２１０は、中間シート２０４と底部シート２０３との中間に画定され又は存在している。第１のチャネル２０８及び第２のチャネル２１０は、開口又はオリフィス２２０により相互接続され又は別様に流体若しくは気流連通されてもよく、開口又はオリフィス２２０のサイズ、形状及び設計上の重要事項は、上記に詳細に記載されている。
【００８５】
底部シート２０３、中間シート２０４及び頂部シート２０６は、底部シート１０３、中間シート１０４及び頂部シート１０６に関して上述した様々な材料から形成されてもよいが、他の材料及び形成方法を使用してこれらの構成成分のそれぞれを形成してもよい。これに加えて、底部シート２０３、中間シート２０４及び頂部シート２０６は、一体形成され、又は別々に形成された後、一緒に取り付けられ、付着され、又は別様に結合されてもよい。頂部シート２０６は、それぞれ全体が参照により本明細書に組み込まれる米国特許第７，４５５，８９９号、同第７，６４８，７５５号及び同第７，９１９，１７０号に記載されているもの等の、上部に存在する屋根用グラニュールの層（１つ又は複数）を含んでもよい。
【００８６】
図１５を参照すると、底部シート２０３は、底部シート２０３の縁に沿って存在するフランジ２１６を含んでもよく、フランジ１１６は上部に隆起部２１９と、１つ以上の放射障壁フィルム層１４６と、を含んでもよい。隆起部２１９は、以下に詳細に論じられる、放射障壁チャネル２６８の形成を可能にする構造に加えて、屋根葺き物品２００の更なる構造的一体性を提供することができる。
【００８７】
図１５を参照すると、第１のチャネル２０８は、その第１の末端部に空気入口２２４を含んでもよい。空気入口２２４は、網、スクリム、不織布ウェブ、又は、雪、昆虫、鳥、小動物、屑、降水（例えば、雨、雪、みぞれ、雹）の進入物が空気入口２２４に入るのを妨げるための他の構造等のカバー２２６を含んでもよい。カバー２２６は、頂部シート２０６及び中間シート２０４と一体形成されてもよく、又は別々に形成された後、頂部シート２０６及び／又は中間シート２０４に取り付けられ、接続され、又は別様に結合されてもよい。後面２２９は、第１のチャネル２０８の第２の末端部に形成されてもよく、頂部シート２０６から中間シート２０４へ延びてもよい。上述のように、開口２２０は、第１のチャネル２０８と第２のチャネル２１０とを相互接続し（又は流体若しくは気流連通させる）。開口２２０は、中間シート２０４を貫通して延び、又は中間シート２０４の縁に沿って又は該シートの末端部に別様に形成されてもよい。実施形態において、カバー１２６はポリエステル織物等の溶融可能な材料により形成されて、火事の場合等に空気入口を閉鎖し、したがって任意の空気通路又は煙突を閉鎖することができる。
【００８８】
図１６を参照すると、第１のチャネル２０８は更に、１つ以上のリブ２２８又は空気案内（２つが図示されている）を含んでもよく、これらはテーパ状に配置されてもよく、かつ頂部シート２０６と中間シート２０４との間に延びて屋根葺き物品２００に更なる構造的一体性を提供してもよい。再び図１５を参照すると、第１のチャネル２０８はまた、開口２２０に近接して配置された気流偏向部材２３０を含んでもよく、気流偏向部材２３０は、流入する外部の吸込み気流を、開口２２０を通して第２の空気チャネル２１０内へと下方に案内し又は送ることができる。気流偏向部材２３０は、気流偏向部材１３０に関して上述したもの等の様々な材料から形成されてもよいが、他の材料も使用し得る。また、気流偏向部材２３０は、例えば頂部シート２３０と共に、第１のチャネル２０８内にて一体形成されてもよい。代替的に、気流偏向部材２３０は、別々に形成された後、例えば頂部シート２３０と共に、第１のチャネル２０８内に取り付けられ、接続され、又は別様に結合されてもよい。更に、気流偏向部材２３０は、切除された球体として成形されているように図示されているが、本開示の趣旨及び範囲から逸脱することなく、他の三次元形状を用いてもよい。
【００８９】
図１５を参照すると、第２のチャネル２１０は、該チャネルの第１の縁に沿って第１の、空気入口ポート２３２を含んでもよく、該チャネルの第２の縁に沿って第２の、空気出口ポート２３４（図１６参照）を含んでもよい。図１６を参照すると、第２のチャネル２１０は更に、第２のチャネル２１０内に存在する気流羽根２３６を含んでもよく、気流羽根２３６は、中間シート２０４と底部シート２０３との間に延びて、屋根葺き物品２００に更なる構造的一体性を提供してもよい。気流羽根２３６は、先端羽根部材２３８及び２つの後端羽根部材２４０を含んでもよい。図１５を参照すると、第２のチャネル２１０は更に、屋根葺き物品２００の前面２４２と、前面２４２から延び又は前面２４２上に存在する１つ以上のタブ２４４と、を含んでもよい。また、実施形態において、第２のチャネル２１０は、底部シート２０３に対して直交する方向に測定するように狭くてもよく、空気入口ポート２３２にてより広く、空気出口ポート２３４にてより狭くなるようにテーパしていてもよい。
【００９０】
図１５を参照すると、第１のチャネル２０８及び第２のチャネル２１０のそれぞれは、１つ以上の放射障壁フィルム層２４６を含んでもよい。放射障壁フィルム層は、１４６に関連して上述したように形成されてもよいが、他の材料及び形成方法を使用してもよい。図示するように、第１のチャネル２０８は、頂部シート２０６の下面上に放射障壁フィルム層２４６を含み、中間シート２０４の上面上に別の放射障壁フィルム層２４６を含む。第２のチャネル２１０は、中間シート２０４の下面上に放射障壁フィルム層２４６を含み、底部シート２０３の上面上に別の放射障壁フィルム層２４６を含む。
【００９１】
屋根葺き物品は、更に膨張材料部分を含んでもよい。図示されないが、膨張材料は入口ポート２３２に近接して含まれているが、そのような膨張材料部分２４８は、屋根葺き物品２１０内の数個の他の位置、例えば空気出口ポート２３４に近接して、又は気流偏向部材２３０若しくはオリフィス２２０に近接して含まれてもよい。
【００９２】
図１７は、屋根上（屋根ボード１２及びフェルト１０の頂部上）に配置及び設置された、実施形態による３つの屋根葺き物品２００（図１６の１５−１５線に沿った断面）を示す。この構成では、各屋根葺き物品のタブ２４４は、タブポケット２６９内に配置されている（タブポケット２６９は、図１７及び図１５には図示されていないが、図１６に図示されている）。底部シート１０３の下面は、隣接する屋根葺き物品の隆起部２１９に隣接して操作可能に置かれて、隣接する屋根葺き物品の中間に放射障壁ゾーン２６８を形成している。この放射障壁ゾーンは、第２のチャネル２１０路に略直交する方向に延びる障壁チャネルを形成している。障壁チャネルは、特に暖かい及び熱い気候ゾーン内で、屋根デッキへの熱移動を制限するための更なる機構を提供することができる。放射障壁ゾーン２６８は、内部に存在する、例えば、押出ポリスチレン発泡体（ＸＰＳ）、ポリスチレン発泡体（ＥＰＳ）、ポリイソシアヌレート、ポリウレタン、又は、厚さ１インチ（２．５４）当たり２〜８の範囲内のＲ値を有する他のタイプの断熱材料から形成されてもよい断熱材料部分を含んでもよい。
【００９３】
図１５〜１７に図示する実施形態において、気流は、第１の実施形態に関連して記載した通りであり、特に、図１０〜１２に関連して図示及び記載した通りである。
【００９４】
実施例−試験プラットホーム
２つの試験プラットホーム（試験ハウス）を構築して、本開示による屋根葺き物品をアスファルトベースの屋根葺き屋根板と比較した。プラットホームは、Ｏａｋ  Ｒｉｄｇｅ  Ｎａｔｉｏｎａｌ  Ｌａｂｏｒａｔｏｒｙでの屋根裏／調整室天井構造の方法／試験プラットホームを模倣するよう設計及び構築された。プラットホームのそれぞれの屋根の斜面は、最大の太陽露出のために南に面していた。
【００９５】
プラットホームの基本サイズは、８’Ｗ×１２’Ｌであり、４．３’Ｈの調整室の高さを有した（２．４４ｍＷ×３．６６ｍＬ、１．３１ｍＨの調整室の高さ）。屋根は、４／１２こう配及び２’（０．６１ｍ）下端突出部を有した。プラットホームは、２”×６”（５．０８ｃｍ×１５．２ｃｍ）大壁を用いて構成され、Ｒ−１９巻回断熱材を有し、断熱材は、屋根裏内へ妻側壁を上方に継続した。後壁（屋根こう配の反対側）も、屋根の尖端まで設置されたＲ−１９断熱材を有した。試験ハウスの３／４”（１．９１ｃｍ）ＯＳＢ床は、同様に２”×６”（５．０８ｃｍ×１５．２ｃｍ）床用根太の間にＲ−１９巻回断熱材を有する。床用根太の底面上に、１”（２．５４ｃｍ）の外装用合板が存在した。試験プラットホームの外側は、保護層としての黒色鋼羽目板を有した。
【００９６】
調整室の天井は、２”×６”（５．０８ｃｍ×１５．２ｃｍ）天井根太に固定された１／２”（１．２７ｃｍ）の乾式壁で構成されていた。２”×６”（５．０８ｃｍ×１５．２ｃｍ）天井根太は、１６”（４０．６ｃｍ）迫枠上に存在した。根太の間に、１”（２．５４ｃｍ）ＸＰＳ（押出ポリスチレン）発泡体層を配置し、木製根太の間に填隙した。
【００９７】
調整空間内の乾式壁を完成し、テープを貼った。壁取り付けユニットを用いて、調整室を冷却（又は加熱）した。各室を一定６８°Ｆ（２０℃）に維持し、ＡＢ  １４００「ＰＬＣ」を介して制御した。
【００９８】
伝統的なアスファルトベースの屋根板を有するプラットホームを、２”×６”（５．０８ｃｍ×１５．２ｃｍ）垂木を用いて、標準的なフェルト層を含む５／８”（１．５９ｃｍ）ＯＳＢ屋根デッキを有する１６”（４０．６ｃｍ）迫枠上にて構築した。アスファルト屋根板は、屋根デッキに釘付けされた。本開示による屋根葺き物品を有するプラットホームを、２”×６”（５．０８ｃｍ×１５．２ｃｍ）垂木を用いて、５／８”（１．５９ｃｍ）ＯＳＢ屋根デッキを有する１６”（４０．６ｃｍ）迫枠上にて構築した。屋根デッキは、１”（２．５４ｃｍ）のＸＰＳ（押出ポリスチレン）からなる（の）第２のデッキと、「水＆氷」フェルト層を有する５／８”（１．５９ｃｍ）ＯＳＢ屋根デッキも有していた。屋根葺き物品（図１５〜１７に示した実施形態による）は、下方のＯＳＢデッキにねじ止めされた。アスファルト屋根板は、屋根デッキに釘付けされた。
【００９９】
データ収集のために、熱電対、ＲＴＤ、及び熱流束センサを、互いに関して同一の位置にてプラットホーム上に配置した。２つのＲＴＤを天井（調整側）上に配置し、２つのＲＴＤ’ｓを屋根デッキボードの真下の屋根裏の高い地点に配置した。熱流束センサを、屋根裏（調整及び非調整）の両側に配置し、また屋根デッキの下側の屋根裏ゾーン内の様々な位置に配置した。熱電対（タイプＴ’ｓ）を、屋根葺き物品の熱流束ゾーンを通して配置した。
【０１００】
図１８は、２つの試験プラットホームから収集したデータのグラフである。データは、２０１１年８月１９日〜２０１１年８月２６日の７日間に亘って収集された。その期間、１５分毎にデータ読み取り値を収集した。
【０１０１】
図１９は、第４の実施形態による屋根葺き物品１００を示す。この実施形態では、第１の実施形態とは異なり、屋根葺き物品１００は、第１のチャネル１０８内に放射障壁を含まない。これは、エネルギーが、更なる放射障壁層を経由する必要を有さずに、頂部シート１０６及び中間シート１０４を通して第２のチャネル１１０内に伝導されることを可能にし、このことは、光起電モジュール用の後面用等、熱シンクとしての使用に対する適合性を向上させることができる。熱が第２のチャネル１１０内に入った後、第２のチャネル１１０の頂部上の放射障壁層１４６は熱をそのチャネル内に保ち、第１のチャネル１０８内へエネルギーが移送され戻ることを妨げるであろう。本明細書の別の実施形態による屋根葺き物品は、光起電モジュール用の後面としての使用にも好適である。
【０１０２】
この屋根葺き物品の屋根上への設置は、本開示の様々な実施形態に関する下記の通りであってもよい。設置方法は、第１の実施形態に関連して記載されるが、本明細書に記載した様々な実施形態のいずれに使用されてもよい。
【０１０３】
図１〜１３を参照し、屋根デッキ１２上に屋根葺きフェルト１６又は別の被覆材料を設置し、開口２０を切った後、開始又は基部ユニット１５２を屋根デッキ１２の下端２４に近接して下縁に、又は該下縁に近接して固定してもよい。接着材料は、開始又は基部ユニット１５２の頂部上に、機械的に又は別様に固定されてもよい。次いで、キャップ１５６を開始又は基部ユニット１５２に取り付けてもよい。
【０１０４】
物品１００を設置するために左から右へ作業する、左利き（left-handed）屋根葺き部分（即ち、左から右へ上方に傾斜する）の場合、屋根葺き物品１００上に真っ直ぐな縁を切ってもよい。露出された第１のチャネル１１０及び第２のチャネル１０８は、発泡体（例えばポリウレタン発泡体）等の材料で満たされてもよい。この発泡体工程は、縁雨押さえ（edge flashing）が設置される際に行われてもよい。この発泡体工程は、それぞれの開放チャネルを閉鎖するように行われ、また更なる構造的一体性又は支持を物品に提供してもよい。縁雨押さえは、屋根葺き物品１００の末端部を屋根の傾斜線（即ち、妻端部）に沿って覆うように使用されてもよい。
【０１０５】
屋根葺き物品１００は、タブ１４４が受容部ポケット１５２と並ぶように、開始又は基部ユニット１５２に対して配置され及び堅く押圧されてもよい。穴１１６内に１つ以上の機械的固定具を取り付けてもよい。再び、左から右へと作業して、別の屋根葺き物品１００を設置してもよい−これは、屋根デッキが覆われる迄繰り返されてもよい。これらの工程は、屋根の他の部分に関して繰り返されてもよい。棟通気口キャップ２８は、屋根葺き物品１００及びそれらのそれぞれの出口ポート１３４上に配置されてもよい。次いで、棟キャップを、屋根葺き物品１００を通して屋根デッキ（１２）へ固定してもよい。
【０１０６】
本明細書で特定の代表的実施形態を詳細に説明したが、当然のことながら、当業者は上述の説明を理解した上で、これらの実施形態の代替物、変更物、及び均等物を容易に想起することができるであろう。したがって、本開示は本明細書で以上に述べた例示の実施形態に不当に限定されるべきではないと理解すべきである。特に、本明細書で用いるとき、端点による数値範囲が記載される場合、その範囲内に包含される全ての数を含むことを意図する（例えば、１〜５は、１、１．５、２、２．７５、３、３．８０、４、及び５を含む）。加えて、本文書中、使用されている全ての数字は用語「約」によって修飾されていると見なされる。様々な代表的実施形態を上で説明した。これらの及び他の実施形態は、以下の特許請求の範囲に含まれる。
【図１】
2013539509.tif 000004
【図２】
2013539509.tif 000005
【図３】
2013539509.tif 000006
【図４】
2013539509.tif 000007
【図５】
2013539509.tif 000008
【図６】
2013539509.tif 000009
【図７】
2013539509.tif 000010
【図８】
2013539509.tif 000011
【図９】
2013539509.tif 000012
【図１０】
2013539509.tif 000013
【図１１】
2013539509.tif 000014
【図１２】
2013539509.tif 000015
【図１３】
2013539509.tif 000016
【図１４】
2013539509.tif 000017
【図１５】
2013539509.tif 000018
【図１６】
2013539509.tif 000019
【図１７】
2013539509.tif 000020
【図１８】
2013539509.tif 000021
【図１９】
2013539509.tif 000022
【国際調査報告】
2013539509.tif 000023
2013539509.tif 000024